【手続補正書】
【提出日】平成27年6月1日(2015.6.1)
【手続補正１】
【補正対象書類名】特許請求の範囲
【補正対象項目名】全文
【補正方法】変更
【補正の内容】
【特許請求の範囲】
【請求項１】
少なくとも１つの環状オレフィンと、
少なくとも１つのオレフィンメタセシス触媒と、
少なくとも２つのイソシアネート基を含有する少なくとも１つの化合物を含む少なくとも１つの接着促進剤と、
を含む、組成物。
【請求項２】
前記少なくとも１つの環状オレフィンが、歪み環状オレフィン、非歪み環状オレフィン、非環式オレフィン、ジエンおよび不飽和ポリマーまたはそれらの組み合わせから選択され、前記環状オレフィンが、官能基を含有してもよく、または、ハロゲン、ヒドロキシル、ヒドロカルビル、アルコキシ、アルケニルオキシ、アルキニルオキシ、アリールオキシ、アラルキルオキシ、アルカリルオキシ、アシル、アシルオキシ、アルコキシカルボニル、アルキルカルボナト、アリールカルボナト、カルボキシ、カルボキシラト、カルバモイル、アルキル−置換カルバモイル、ハロアルキル−置換カルバモイル、アリール−置換カルバモイル、チオカルバモイル、アルキル−置換チオカルバモイル、アリール−置換チオカルバモイル、カルバミド、シアノ、シアナト、チオシアナト、ホルミル、チオホルミル、アミノ、アルキル−置換アミノ、アリール−置換アミノ、アルキルアミド、アリールアミド、イミノ、アルキルイミノ、アリールイミノ、ニトロ、ニトロソ、スルホ、スルホナート、アルキルスルファニル、アリールスルファニル、アルキルスルフィニル、アリールスルフィニル、アルキルスルホニル、アルキルアミノスルホニル、アリールスルホニル、ボリル、ボロノ、ボロナト、ホスホノ、ホスホナト、ホスフィナト、ホスホ、ホスフィノもしくはそれらの組み合わせから選択される基で置換されてもよい、請求項１に記載の組成物。
【請求項３】
前記少なくとも１つのオレフィンメタセシス触媒が、式（Ｉ）
【化１】
2015500889.tif 000001
の化合構造を有する第８族遷移金属錯体であり、式（Ｉ）中、
Ｍが、第８族遷移金属であり；
Ｌ１、Ｌ２およびＬ３が、中性の電子供与配位子から独立して選択され；
ｎが、０または１であり、そのため、Ｌ３が、存在しても、存在しなくてもよく；
ｍが、０、１または２であり；
ｋが、０または１であり；
Ｘ１およびＸ２が、独立して、アニオン性配位子であり；および、
Ｒ１およびＲ２が、水素、ヒドロカルビル、置換ヒドロカルビル、ヘテロ原子含有ヒドロカルビル、置換ヘテロ原子含有ヒドロカルビルおよび官能基から、独立して選択され；Ｒ１およびＲ２の一方または両方が、構造−（Ｗ）ｎ−Ｕ＋Ｖ−を有してもよく、Ｗが、ヒドロカルビレン、置換ヒドロカルビレン、ヘテロ原子含有ヒドロカルビレンまたは置換ヘテロ原子含有ヒドロカルビレンから選択され；Ｕが、水素、ヒドロカルビル、置換ヒドロカルビル、ヘテロ原子含有ヒドロカルビルまたは置換ヘテロ原子含有ヒドロカルビルで置換された、正の荷電を有する第１５族または第１６族の元素であり；Ｖが、負の荷電を有する対イオンであり；および、ｎが、０または１であり、
任意の２つ以上のＸ１、Ｘ２、Ｌ１、Ｌ２、Ｌ３、Ｒ１およびＲ２が、まとまって１つ以上の環状基を形成することができ、および、さらに、任意の１つ以上のＸ１、Ｘ２、Ｌ１、Ｌ２、Ｌ３、Ｒ１およびＲ２が、支持体に付着されてもよい、請求項１に記載の組成物。
【請求項４】
前記少なくとも２つのイソシアネート基を含有する少なくとも１つの化合物が、少なくとも１つのジイソシアネート、トリイソシアネート、ポリイソシアネートの化合物またはそれらの混合物から選択される、請求項１に記載の組成物。
【請求項５】
前記少なくとも１つの接着促進剤が、さらに、少なくとも１つのヘテロ原子含有官能基および少なくとも１つのメタセシス活性オレフィンを含有する、少なくとも１つの化合物を含む、請求項１に記載の組成物。
【請求項６】
基材材料への樹脂組成物の接着を改善するための方法であって、
少なくとも１つの接着促進剤、少なくとも１つの環状オレフィンおよび少なくとも１つのオレフィンメタセシス触媒を混合して、前記樹脂組成物を形成する工程と、
前記樹脂組成物を、前記基材材料の少なくとも１つの表面と接触させる工程と、
前記樹脂組成物を、前記環状オレフィンのオレフィンメタセシス反応を促進するのに効果的な条件に供する工程とを含み、
前記少なくとも１つの接着促進剤が、少なくとも２つのイソシアネート基を含有する少なくとも１つの化合物を含む、前記方法。
【請求項７】
前記少なくとも１つの環状オレフィンが、歪み環状オレフィン、非歪み環状オレフィン、非環式オレフィン、ジエンおよび不飽和ポリマーまたはそれらの組み合わせから選択され、前記環状オレフィンが、官能基を含有してもよく、または、ハロゲン、ヒドロキシル、ヒドロカルビル、アルコキシ、アルケニルオキシ、アルキニルオキシ、アリールオキシ、アラルキルオキシ、アルカリルオキシ、アシル、アシルオキシ、アルコキシカルボニル、アルキルカルボナト、アリールカルボナト、カルボキシ、カルボキシラト、カルバモイル、アルキル−置換カルバモイル、ハロアルキル−置換カルバモイル、アリール−置換カルバモイル、チオカルバモイル、アルキル−置換チオカルバモイル、アリール−置換チオカルバモイル、カルバミド、シアノ、シアナト、チオシアナト、ホルミル、チオホルミル、アミノ、アルキル−置換アミノ、アリール−置換アミノ、アルキルアミド、アリールアミド、イミノ、アルキルイミノ、アリールイミノ、ニトロ、ニトロソ、スルホ、スルホナート、アルキルスルファニル、アリールスルファニル、アルキルスルフィニル、アリールスルフィニル、アルキルスルホニル、アルキルアミノスルホニル、アリールスルホニル、ボリル、ボロノ、ボロナト、ホスホノ、ホスホナト、ホスフィナト、ホスホ、ホスフィノもしくはそれらの組み合わせから選択される基で置換されてもよい、請求項６に記載の方法。
【請求項８】
前記少なくとも１つのオレフィンメタセシス触媒が、式（Ｉ）
【化２】
2015500889.tif 000002
の化合構造を有する第８族遷移金属錯体であり、式（Ｉ）中、
Ｍが、第８族遷移金属であり；
Ｌ１、Ｌ２およびＬ３が、中性の電子供与配位子から独立して選択され；
ｎが、０または１であり、そのため、Ｌ３が、存在しても、存在しなくてもよく；
ｍが、０、１または２であり；
ｋが、０または１であり；
Ｘ１およびＸ２が、独立して、アニオン性配位子であり；および、
Ｒ１およびＲ２が、水素、ヒドロカルビル、置換ヒドロカルビル、ヘテロ原子含有ヒドロカルビル、置換ヘテロ原子含有ヒドロカルビルおよび官能基から、独立して選択され；Ｒ１およびＲ２の一方または両方が、構造−（Ｗ）ｎ−Ｕ＋Ｖ−を有してもよく、Ｗが、ヒドロカルビレン、置換ヒドロカルビレン、ヘテロ原子含有ヒドロカルビレンまたは置換ヘテロ原子含有ヒドロカルビレンから選択され；Ｕが、水素、ヒドロカルビル、置換ヒドロカルビル、ヘテロ原子含有ヒドロカルビルまたは置換ヘテロ原子含有ヒドロカルビルで置換された、正の荷電を有する第１５族または第１６族の元素であり；Ｖが、負の荷電を有する対イオンであり；および、ｎが、０または１であり、
任意の２つ以上のＸ１、Ｘ２、Ｌ１、Ｌ２、Ｌ３、Ｒ１およびＲ２が、まとまって１つ以上の環状基を形成することができ、および、さらに、任意の１つ以上のＸ１、Ｘ２、Ｌ１、Ｌ２、Ｌ３、Ｒ１およびＲ２が、支持体に付着されてもよい、請求項６に記載の方法。
【請求項９】
前記少なくとも２つのイソシアネート基を含有する少なくとも１つの化合物が、少なくとも１つのジイソシアネート、トリイソシアネート、ポリイソシアネートの化合物またはそれらの混合物から選択される、請求項６に記載の方法。
【請求項１０】
前記少なくとも１つの接着促進剤が、さらに、少なくとも１つのヘテロ原子含有官能基および少なくとも１つのメタセシス活性オレフィンを含有する、少なくとも１つの化合物を含む、請求項６に記載の方法。
【請求項１１】
少なくとも１つの環状オレフィン、少なくとも１つのオレフィンメタセシス触媒、および少なくとも２つのイソシアネート基を含有する少なくとも１つの化合物を含む少なくとも１つの接着促進剤を含有する、少なくとも１つの樹脂組成物を含む、製品。
【請求項１２】
前記少なくとも１つの環状オレフィンが、歪み環状オレフィン、非歪み環状オレフィン、非環式オレフィン、ジエンおよび不飽和ポリマーまたはそれらの組み合わせから選択され、前記環状オレフィンが、官能基を含有してもよく、または、ハロゲン、ヒドロキシル、ヒドロカルビル、アルコキシ、アルケニルオキシ、アルキニルオキシ、アリールオキシ、アラルキルオキシ、アルカリルオキシ、アシル、アシルオキシ、アルコキシカルボニル、アルキルカルボナト、アリールカルボナト、カルボキシ、カルボキシラト、カルバモイル、アルキル−置換カルバモイル、ハロアルキル−置換カルバモイル、アリール−置換カルバモイル、チオカルバモイル、アルキル−置換チオカルバモイル、アリール−置換チオカルバモイル、カルバミド、シアノ、シアナト、チオシアナト、ホルミル、チオホルミル、アミノ、アルキル−置換アミノ、アリール−置換アミノ、アルキルアミド、アリールアミド、イミノ、アルキルイミノ、アリールイミノ、ニトロ、ニトロソ、スルホ、スルホナート、アルキルスルファニル、アリールスルファニル、アルキルスルフィニル、アリールスルフィニル、アルキルスルホニル、アルキルアミノスルホニル、アリールスルホニル、ボリル、ボロノ、ボロナト、ホスホノ、ホスホナト、ホスフィナト、ホスホ、ホスフィノもしくはそれらの組み合わせから選択される基で置換されてもよい、請求項１１に記載の製品。
【請求項１３】
前記少なくとも１つのオレフィンメタセシス触媒が、式（Ｉ）
【化３】
2015500889.tif 000003
の化合構造を有する第８族遷移金属錯体であり、式（Ｉ）中、
Ｍが、第８族遷移金属であり；
Ｌ１、Ｌ２およびＬ３が、中性の電子供与配位子から独立して選択され；
ｎが、０または１であり、そのため、Ｌ３が、存在しても、存在しなくてもよく；
ｍが、０、１または２であり；
ｋが、０または１であり；
Ｘ１およびＸ２が、独立して、アニオン性配位子であり；および、
Ｒ１およびＲ２が、水素、ヒドロカルビル、置換ヒドロカルビル、ヘテロ原子含有ヒドロカルビル、置換ヘテロ原子含有ヒドロカルビルおよび官能基から、独立して選択され；Ｒ１およびＲ２の一方または両方が、構造−（Ｗ）ｎ−Ｕ＋Ｖ−を有してもよく、Ｗが、ヒドロカルビレン、置換ヒドロカルビレン、ヘテロ原子含有ヒドロカルビレンまたは置換ヘテロ原子含有ヒドロカルビレンから選択され；Ｕが、水素、ヒドロカルビル、置換ヒドロカルビル、ヘテロ原子含有ヒドロカルビルまたは置換ヘテロ原子含有ヒドロカルビルで置換された、正の荷電を有する第１５族または第１６族の元素であり；Ｖが、負の荷電を有する対イオンであり；および、ｎが、０または１であり、
任意の２つ以上のＸ１、Ｘ２、Ｌ１、Ｌ２、Ｌ３、Ｒ１およびＲ２が、まとまって１つ以上の環状基を形成することができ、および、さらに、任意の１つ以上のＸ１、Ｘ２、Ｌ１、Ｌ２、Ｌ３、Ｒ１およびＲ２が、支持体に付着されてもよい、請求項１１に記載の製品。
【請求項１４】
前記少なくとも２つのイソシアネート基を含有する少なくとも１つの化合物が、少なくとも１つのジイソシアネート、トリイソシアネート、ポリイソシアネートの化合物またはそれらの混合物から選択される、請求項１１に記載の製品。
【請求項１５】
前記少なくとも１つの接着促進剤が、さらに、少なくとも１つのヘテロ原子含有官能基および少なくとも１つのメタセシス活性オレフィンを含有する、少なくとも１つの化合物を含む、請求項１１に記載の製品。
【請求項１６】
メタセシス−重合樹脂組成物を基材材料に接着するための、接着促進剤としての少なくとも２つのイソシアネート基を含有する少なくとも１つの化合物のヒドロペルオキシドゲル調整剤の使用。
【請求項１７】
オレフィンメタセシス触媒により触媒される環状オレフィンのＲＯＭＰ反応の開始を調整するための方法であって、
ヒドロペルオキシドゲル調整剤を、環状オレフィンおよびオレフィンメタセシス触媒と混合することにより、ＲＯＭＰ組成物を形成する工程、および、
前記ＲＯＭＰ組成物を、前記オレフィンメタセシス触媒および前記添加されたヒドロペルオキシドゲル調整剤の存在下で、前記環状オレフィンのＲＯＭＰ反応を促進するのに効果的な条件に供する工程を含み、
前記ヒドロペルオキシドが、前記添加されたヒドロペルオキシドの不存在下で、前記オレフィンメタセシス触媒により触媒される、前記環状オレフィンのＲＯＭＰ反応のゲル化時間を向上させるのに効果的な量で添加される、前記方法。